(57)【要約】【課題】騒音が発生した場合の利便性を向上させた放送受信装置において、記録媒体の残容量の消費を抑えることができる放送受信装置を提供する。【解決手段】放送を受信する機能を有する放送受信装置において、放送番組の視聴中に騒音が発生したか否かを判定する騒音判定部と、前記騒音判定部により騒音が発生したと判定されると、録画するか否かを判定する録画判定部と、前記録画判定部の判定結果に応じて、放送中の放送番組を録画部に録画させるか否かを切替える録画制御部と、を備える構成としている。【選択図】図２
2015041828.tif 000002
【特許請求の範囲】
【請求項１】
放送を受信する機能を有する放送受信装置において、
放送番組の視聴中に騒音が発生したか否かを判定する騒音判定部と、
前記騒音判定部により騒音が発生したと判定されると、録画するか否かを判定する録画判定部と、
前記録画判定部の判定結果に応じて、放送中の放送番組を録画部に録画させるか否かを切替える録画制御部と、を備えることを特徴とする放送受信装置。
【請求項２】
前記録画判定部は、
視聴予約していた番組を視聴中であると判断したとき、
視聴中の放送番組において途中のＣＭのときだけチャンネルを操作により替えられたと判断したとき、
視聴中の放送番組においてチャンネルを替えられていないと判断したとき、
毎週または毎日視聴している番組を視聴中であると判断したとき、
お気に入りとして登録されているジャンルの番組を視聴中であると判断したとき、
ワード登録されている単語が視聴中の番組の番組情報に含まれていると判断したとき、
視聴中の番組の半分以上の時間を視聴していると判断したとき、
のいずれかのときに、録画すると判定することを特徴とする請求項１に記載の放送受信装置。
【請求項３】
前記録画判定部は、番組途中のＣＭを視聴中の場合、ＣＭ明けまでは録画させず、ＣＭ明けになったタイミングで録画すると判定することを特徴とする請求項１又は請求項２に記載の放送受信装置。
【請求項４】
前記録画判定部は、番組終了後のＣＭを視聴中のとき、録画しないと判定することを特徴とする請求項１〜請求項３のいずれか１項に記載の放送受信装置。
【請求項５】
前記録画判定部は、
他の番組でも情報を得られる番組を視聴中であると判断したとき、
頻繁にチャンネルが替えられていると判断したとき、
視聴中の放送番組に変わっても特定の時間以上、操作入力がないと判断したとき、
この後すぐに始まる予約録画が設定されているとき、
のいずれかのときに、録画はしないと判定することを特徴とする請求項１〜請求項４のいずれか１項に記載の放送受信装置。
【請求項６】
前記録画判定部は、視聴中の番組を録画するか否かをユーザに選択させる表示画面における選択結果に応じて録画するか否かを判定することを特徴とする請求項１〜請求項５のいずれか１項に記載の放送受信装置。
【請求項７】
前記騒音判定部は、
頻繁に音量を上げる操作がなされたと判断したとき、
操作による音量アップによって普段の設定音量より大きな音量が設定されたと判断したとき、
騒音が発生すると推定される特定の時刻になったと判断したとき、
のいずれかのときに、騒音が発生したと判定することを特徴とする請求項１〜請求項６のいずれか１項に記載の放送受信装置。
【請求項８】
前記騒音判定部によって騒音が発生したと判定されることにより前記録画部によって録画された録画タイトルを表示部に一覧表示させる表示信号を出力する表示出力部を更に備えることを特徴とする請求項１〜請求項７のいずれか１項に記載の放送受信装置。
【請求項９】
前記騒音判定部によって騒音が発生したと判定されることにより前記録画部によって録画された録画タイトルの再生が終了したときに、前記録画タイトルを消去するか否かをユーザに選択させる画面を表示部に表示させる表示信号を出力する表示出力部を更に備えることを特徴とする請求項１〜請求項８のいずれか１項に記載の放送受信装置。
【請求項１０】
前記録画部を備え、
前記騒音判定部によって騒音が発生したと判定されることにより前記録画部によって録画された録画タイトルの再生が終了すると、保存操作がない限り、所定時間が経過したときに前記録画部は前記録画タイトルを消去することを特徴とする請求項１〜請求項９のいずれか１項に記載の放送受信装置。
【請求項１１】
前記録画部による前記録画タイトルの消去の優先順を示す画面を表示部に表示させる表示信号を出力する表示出力部を更に備えることを特徴とする請求項１０に記載の放送受信装置。
【請求項１２】
前記優先順は操作によって入れ替え可能であることを特徴とする請求項１１に記載の放送受信装置。
【請求項１３】
前記録画部を備え、
放送番組を視聴中に前記録画部が前記放送番組を録画しているとき、前記騒音判定部により騒音が発生したと判定されると、チャプタマークを作成するチャプタマーク作成部を更に備えることを特徴とする請求項１〜請求項１２のいずれか１項に記載の放送受信装置。
【請求項１４】
チャプタ表示画面において、前記チャプタマーク作成部により作成されたチャプタマークで区切られる前後の少なくともいずれかのチャプタを強調する表示を表示部に行わせる表示信号を出力する表示出力部を更に備えることを特徴とする請求項１３に記載の放送受信装置。
【発明の詳細な説明】
【技術分野】
【０００１】
本発明は、放送受信装置に関する。
【背景技術】
【０００２】
従来、放送信号を受信して、放送の映像音声を出力する放送受信装置が様々知られている。
【０００３】
放送の映像音声をユーザが視聴しているときに、ユーザの周囲で騒音が発生すると、放送の音声をユーザが聞き逃してしまう場合があった。そこで、例えば特許文献１には、環境音量を測定する音量測定手段と、音声データ及び画像データを記憶する記憶手段を有する携帯通信端末が開示されている。この携帯通信端末では、上記音量測定手段によって測定された環境音量が所定値を超えた際に、上記記憶手段によって音声データ及び画像データを記憶する。そして後に、上記記憶手段から読み出して音声出力手段及び画像出力手段で再生する。
【０００４】
これにより、ユーザの周囲で騒音が発生して放送の音声を聞き逃した場合でも、音声データが記憶され、後で音声を再生可能であるので、ユーザは聞き逃した音声を聞くことができる。
【先行技術文献】
【特許文献】
【０００５】
【特許文献１】特開２００５−６４５９２号公報（請求項２等）
【発明の概要】
【発明が解決しようとする課題】
【０００６】
しかしながら、上記特許文献１では、騒音が発生した場合に、ユーザにとって必要でない放送の音声まで記憶されてしまう場合がある。例えば、放送のＣＭ中に騒音が発生した場合に、多くのユーザにとっては必要ないと推定されるＣＭの音声まで記憶されてしまう。これにより、記憶手段の残容量が無駄に消費される問題があった。
【０００７】
上記問題点に鑑み、本発明は、騒音が発生した場合の利便性を向上させた放送受信装置において、記録媒体の残容量の消費を抑えることができる放送受信装置を提供することを目的とする。
【課題を解決するための手段】
【０００８】
上記目的を達成するために本発明は、放送を受信する機能を有する放送受信装置において、放送番組の視聴中に騒音が発生したか否かを判定する騒音判定部と、前記騒音判定部により騒音が発生したと判定されると、録画するか否かを判定する録画判定部と、前記録画判定部の判定結果に応じて、放送中の放送番組を録画部に録画させるか否かを切替える録画制御部と、を備える構成としている。
【０００９】
このような構成によれば、放送番組の視聴中に騒音が発生した場合、録画するか否かが判定され、録画すると判定された場合は、放送中の放送番組が録画される。従って、騒音によってユーザが聞き逃した音声を録画した番組によって聞くことが可能となる。
【００１０】
更に、録画しないと判定された場合は、録画がされないので、記録媒体の残容量の消費を抑えることができる。
【００１１】
また、前記録画判定部は、
視聴予約していた番組を視聴中であると判断したとき、
視聴中の放送番組において途中のＣＭのときだけチャンネルを操作により替えられたと判断したとき、
視聴中の放送番組においてチャンネルを替えられていないと判断したとき、
毎週または毎日視聴している番組を視聴中であると判断したとき、
お気に入りとして登録されているジャンルの番組を視聴中であると判断したとき、
ワード登録されている単語が視聴中の番組の番組情報に含まれていると判断したとき、
視聴中の番組の半分以上の時間を視聴していると判断したとき、
のいずれかのときに、録画すると判定することとしてもよい。
【００１２】
このような構成によれば、ユーザが音声を聞き逃したくない録画の必要性が高いと推定される番組を録画できるので、利便性が高い。
【００１３】
また、前記録画判定部は、番組途中のＣＭを視聴中の場合、ＣＭ明けまでは録画させず、ＣＭ明けになったタイミングで録画すると判定することとしてもよい。
【００１４】
このような構成によれば、番組途中のＣＭは録画の必要性が少ないと推定されるので録画せず、ユーザが音声を聞き逃したくないと推定されるＣＭ明けから録画できる。
【００１５】
また、前記録画判定部は、番組終了後のＣＭを視聴中のとき、録画しないと判定することとしてもよい。
【００１６】
このような構成によれば、番組終了後のＣＭは録画の必要性が少ないと推定されるので録画しないようにできる。
【００１７】
また、前記録画判定部は、
他の番組でも情報を得られる番組を視聴中であると判断したとき、
頻繁にチャンネルが替えられていると判断したとき、
視聴中の放送番組に変わっても特定の時間以上、操作入力がないと判断したとき、
この後すぐに始まる予約録画が設定されているとき、
のいずれかのときに、録画はしないと判定することとしてもよい。
【００１８】
このような構成によれば、録画の必要性が少ないと推定される場合、または録画が困難な状況の場合に、録画しないようにできる。
【００１９】
また、前記録画判定部は、視聴中の番組を録画するか否かをユーザに選択させる表示画面における選択結果に応じて録画するか否かを判定することとしてもよい。
【００２０】
このような構成によれば、ユーザが音声を聞き逃したくないかどうかに応じて録画するか否かが選択できる。
【００２１】
また、前記騒音判定部は、
頻繁に音量を上げる操作がなされたと判断したとき、
操作による音量アップによって普段の設定音量より大きな音量が設定されたと判断したとき、
騒音が発生すると推定される特定の時刻になったと判断したとき、
のいずれかのときに、騒音が発生したと判定することとしてもよい。
【００２２】
このような構成によれば、騒音を検知するために集音マイクが不要となる。
【００２３】
また、前記騒音判定部によって騒音が発生したと判定されることにより前記録画部によって録画された録画タイトルを表示部に一覧表示させる表示信号を出力する表示出力部を更に備えることとしてもよい。
【００２４】
このような構成によれば、騒音が発生した判定されることにより録画された録画タイトルの再生または削除が容易となる。このような録画タイトルはユーザが意図せずに録画されたものであるので、削除し易いことが有益である。
【００２５】
また、前記騒音判定部によって騒音が発生したと判定されることにより前記録画部によって録画された録画タイトルの再生が終了したときに、前記録画タイトルを消去するか否かをユーザに選択させる画面を表示部に表示させる表示信号を出力する表示出力部を更に備えることとしてもよい。
【００２６】
このような構成によれば、ユーザが意図せずに録画されて削除の必要性が高い録画タイトルの再生終了時に、ユーザは容易に録画タイトルを削除できる。
【００２７】
また、前記録画部を備え、前記騒音判定部によって騒音が発生したと判定されることにより前記録画部によって録画された録画タイトルの再生が終了すると、保存操作がない限り、所定時間が経過したときに前記録画部は前記録画タイトルを消去することとしてもよい。
【００２８】
このような構成によれば、ユーザが意図せずに録画されて削除の必要性が高い録画タイトルを自動的に消去できる。また、ユーザが保存操作をすれば、録画タイトルを自動消去せずに保存することもできる。
【００２９】
また、前記録画部による前記録画タイトルの消去の優先順を示す画面を表示部に表示させる表示信号を出力する表示出力部を更に備えることとしてもよい。
【００３０】
このような構成によれば、ユーザは録画タイトルが自動消去される順番を確認できる。
【００３１】
また、前記優先順は操作によって入れ替え可能であることとしてもよい。
【００３２】
このような構成によれば、ユーザの好みの順番で録画タイトルを自動消去できる。
【００３３】
また、前記録画制御部は、前記録画部を備える外部装置に録画開始するよう制御信号を送ることで前記録画部に録画させることとしてもよい。
【００３４】
また、前記制御信号は、ＨＤＭＩ（登録商標）規格のＣＥＣコマンドであることとしてもよい。
【００３５】
また、前記録画部を備え、放送番組を視聴中に前記録画部が前記放送番組を録画しているとき、前記騒音判定部により騒音が発生したと判定されると、チャプタマークを作成するチャプタマーク作成部を更に備えることとしてもよい。
【００３６】
このような構成によれば、騒音が発生したと判定されたときに作成されるチャプタマークによって、騒音が発生した際のシーンの頭出しが容易となる。従って、ユーザは騒音によって聞き逃した音声を容易に聞くことが可能となる。
【００３７】
また、チャプタ表示画面において、前記チャプタマーク作成部により作成されたチャプタマークで区切られる前後の少なくともいずれかのチャプタを強調する表示を表示部に行
わせる表示信号を出力する表示出力部を更に備えることとしてもよい。
【００３８】
このような構成によれば、ユーザは騒音が発生したときの周辺のチャプタを容易に確認できる。
【発明の効果】
【００３９】
本発明によると、騒音が発生した場合の利便性を向上させた放送受信装置において、記録媒体の残容量の消費を抑えることができる。
【図面の簡単な説明】
【００４０】
【図１】本発明の第１実施形態に係るテレビシステムの全体概略図である。
【図２】本発明の第１実施形態に係るテレビシステムのブロック構成図である。
【図３】本発明の第１実施形態に係る騒音検知による録画処理に関するフローチャートである。
【図４】騒音を検知した際に表示される選択画面の一例を示す図である。
【図５】本発明の第２実施形態に係るテレビ装置のブロック構成図である。
【図６】本発明の第２実施形態に係る騒音検知による録画処理に関するフローチャートである。
【図７】本発明の第３実施形態に係る録画タイトルの一覧表示画面の一例を示す図である。
【図８】本発明の第４実施形態に係る録画タイトル再生終了時の表示画面の一例を示す図である。
【図９】本発明の第４実施形態に係る録画タイトル再生終了時の表示画面の一例を示す図である。
【図１０】本発明の第４実施形態に係る自動消去リスト表示の一例を示す図である。
【図１１】本発明の第５実施形態に係るチャプタ表示画面の一例を示す図である。
【図１２】本発明の第５実施形態に係るチャプタ表示画面の一例を示す図である。
【発明を実施するための形態】
【００４１】
＜第１実施形態＞
以下に本発明の一実施形態について図面を参照して説明する。本発明の第１実施形態に係るテレビシステムの全体概略図を図１に示す。
【００４２】
図１に示すように、本実施形態に係るテレビシステムは、アンテナ２から放送信号を受信するテレビ装置１と、ハードディスクレコーダ（以下、ＨＤＤレコーダ）３から構成される。テレビ装置１とＨＤＤレコーダ３は、ＨＤＭＩ（High-Definition Multimedia Interface）ケーブル４により接続される。また、テレビ装置１の例えば前面側には、後述する周辺の音を集音するための集音マイク２０が設けられる。
【００４３】
テレビ装置１とＨＤＤレコーダ３の概略構成を示すブロック図を図２に示す。図２に示すように、テレビ装置１は、チューナ１１と、分離部１２と、デコード部１３と、映像出力部１４と、表示部１５と、ＯＳＤ（オンスクリーンディスプレイ）部１６と、音声出力部１７と、内蔵スピーカ１８と、システムコントローラ１９と、集音マイク２０と、ＥＰＧ記憶部２１と、リモコン受光部２２と、ＨＤＭＩインタフェース２３を備えている。チューナ１１にはアンテナ２が接続される。
【００４４】
チューナ１１は、例えば、地上デジタル放送、ＢＳデジタル放送、ＣＳデジタル放送の少なくともいずれかに対応するものであり、アンテナ２から入力された高周波の放送信号から所望のチャンネルの放送信号を選局する。
【００４５】
また、チューナ１１は、選局されたチャンネルの放送信号に対してデジタル復調及び誤り訂正などの処理を行い、トランスポートストリームを生成し、分離部１２へ出力する。
【００４６】
分離部（デマルチプレクサ）１２は、チューナ１１から入力されるトランスポートストリームを映像ストリーム、音声ストリーム、ＳＩ（Service Information）、字幕データ等に分離する。分離部１２の出力は、映像デコーダ１３１、データデコーダ１３２及び音声デコーダ１３３から成るデコード部１３に入力される。
【００４７】
映像デコーダ１３１は、分離部１２から入力される映像ストリームに対してデコードを行い、生成された映像データを映像出力部１４に出力する。
【００４８】
データデコーダ１３２は、分離部１２から入力される字幕データに対してデコードを行い、生成された字幕テキストデータをＯＳＤ部１６へ出力する。また、データデコーダ１３２は、分離部１２から入力されるＳＩに対してデコードも行う。デコード後のＳＩには、ＥＩＴ（Event Information Table）等が含まれている。ＥＩＴは、ＥＰＧ（電子番組表）の作成に用いられる番組表データである。
【００４９】
ＯＳＤ部１６は、メニュー表示、ＥＰＧ表示などのオンスクリーンディスプレイ用の表示データを生成し、映像出力部１４に出力する。また、ＯＳＤ部１６は、データデコーダ１３２から入力される字幕テキストデータに基づき字幕表示データを生成することも可能であり、字幕表示データを映像出力部１４に出力する。
【００５０】
映像出力部１４は、映像デコーダ１３１から入力される映像データにＯＳＤ部１６から入力される表示データを重畳し、重畳後の映像データを表示部１５に適した映像信号に変換し、表示部１５に出力する。なお、重畳せずに映像デコーダ１３１から入力される映像データか、ＯＳＤ部１６から入力される表示データのいずれかのみを映像信号に変換して表示部１５に出力する場合もある。
【００５１】
表示部１５は、例えば液晶ディスプレイであり、映像出力部１４から入力される映像信号に基づき映像を表示する。これにより、字幕を含んだ放送番組の映像や、メニュー画面、ＥＰＧなどの各種映像が表示部１５に表示される。
【００５２】
音声デコーダ１３３は、分離部１２から入力される音声ストリームに対してデコードを行い、生成された音声データを音声出力部１７へ出力する。音声出力部１７は、音声デコーダ１３３から入力される音声データを内蔵スピーカ１８に適した音声信号に変換し、内蔵スピーカ１８へ出力する。内蔵スピーカ１８は、音声出力部１７から入力される音声信号に基づき音声を発生させる。これにより、内蔵スピーカ１８から放送番組の音声が発生する。
【００５３】
システムコントローラ１９は、テレビ装置１を統括的に制御する制御装置である。また、システムコントローラ１９は、デコード部１３から取得するＳＩに含まれるＥＩＴをＥＰＧ記憶部２１に記憶させる。ＥＰＧの表示操作があれば、システムコントローラ１９は、ＥＰＧ記憶部２１に記憶されたＥＩＴに基づきＯＳＤ部１６を制御し、表示部１５にＥＰＧを表示させる。
【００５４】
リモコン受光部２２は、リモコン装置（不図示）から操作に応じた赤外線信号等の操作信号を受信し、受信した操作信号をリモコンコードに変換し、リモコンコードをシステムコントローラ１９へ送信する。システムコントローラ１９は、送信されたリモコンコードに応じた制御動作を行う。これにより、ユーザはリモコン装置によってテレビ装置１を操作することができる。
【００５５】
ＨＤＭＩインタフェース２３は、ＨＤＤレコーダ３側のＨＤＭＩインタフェース３１とＨＤＭＩケーブル４（図１）によって接続され、ＨＤＭＩの規格に準拠してＨＤＭＩインタフェース３１との間で映像信号、音声信号及び制御信号の通信を行う。
【００５６】
ＨＤＤレコーダ３は、ＨＤＭＩインタフェース３１、システムコントローラ３２、及びＨＤＤ（ハードディスクドライブ）３３を備えている。
【００５７】
次に、このような構成のテレビシステムにおける騒音検知による録画処理に関して、図３に示すフローチャートを参照して説明する。ここで、図３の処理が開始される際に、テレビ装置１により放送番組の視聴がされているとする。
【００５８】
まず図３のステップＳ１で、テレビ装置１のシステムコントローラ１９は、集音マイク２０を使用してテレビ装置１周辺の音を監視しており、システムコントローラ１９が騒音を検知した場合（ステップＳ１のＹ）、ステップＳ２に進む。なお、騒音検知の判断基準例については後述し、集音マイク２０が不要となる実施形態も可能である。
【００５９】
ステップＳ２で、システムコントローラ１９は、録画するか否かを判定する。なお、その判定基準例については後述する。もし、録画すると判定された場合は（ステップＳ２のＹ）、ステップＳ３に進む。
【００６０】
ステップＳ３で、システムコントローラ１９は、ＨＤＭＩインタフェース２３を使用してＨＤＤレコーダ３の電源をオンとするＣＥＣ（Consumer Electronics Control）コマンドをＨＤＤレコーダ３へ送信する。これにより、ＨＤＤレコーダ３側では、システムコントローラ３２がＨＤＭＩインタフェース３１を介してＣＥＣコマンドを受信し、ＨＤＤレコーダ３の電源をオンとする。
【００６１】
次に、ステップＳ４で、システムコントローラ１９は、録画開始のＣＥＣコマンドをＨＤＭＩ通信によりＨＤＤレコーダ３へ送信すると共に、デコード部１３から取得される映像音声データ（即ち、放送中の映像音声）をＨＤＭＩ通信によりＨＤＤレコーダ３へ送信することを開始する。これにより、ＨＤＤレコーダ３側では、システムコントローラ３２がＨＤＤ３３に、ＨＤＭＩ通信により送信された映像音声データを記録することを開始させる。従って、放送番組の録画が開始される。
【００６２】
そして、ステップＳ５で、システムコントローラ１９は、ＥＰＧ記憶部２１に記憶されたＥＩＴより把握される現在の放送番組の終了時刻に現在時刻がなったかを監視し、もしそうなった場合は番組が終了したとして（ステップＳ５のＹ）、ステップＳ６に進む。
【００６３】
ステップＳ６で、システムコントローラ１９は、ＨＤＭＩ通信により録画停止のＣＥＣコマンドをＨＤＤレコーダ３へ送信すると共に、映像音声データのＨＤＭＩ通信による送信を停止させる。これにより、ＨＤＤレコーダ３側では、システムコントローラ３２がＨＤＤ３に録画を停止させる。ステップＳ６の後、処理は終了する（エンド）。
【００６４】
また、上記ステップＳ２で、録画しないと判定された場合は（ステップＳ２のＮ）、そのまま処理が終了するので（エンド）、ＨＤＤレコーダ３による録画は行われない。
【００６５】
このように、テレビ装置１周辺の騒音が検知された場合、録画すると判定された場合は、ＨＤＤレコーダ３により放送中の映像音声が録画される。従って、騒音により放送中の音声（内蔵スピーカ１８から出力）をユーザが聞き逃した場合でも、ユーザはＨＤＤ３３に記録された聞き逃した音声を後で聞くことが可能となり、利便性が高い。なお、ＨＤＤ３３に記録された映像音声データは、ＨＤＤ３３によって読み出し、ＨＤＭＩ通信によりテレビ装置１側へ送信し、表示部１５及び内蔵スピーカ１８から再生することが可能である。
【００６６】
特に、本実施形態では、騒音が検知された場合に、録画するか否かを判定し（ステップＳ２）、判定結果に応じてＨＤＤレコーダ３による録画をするか否かを切替える。これにより、ユーザにとって必要性の低い放送の映像音声は録画されないので、ＨＤＤ３３（即ち内蔵ハードディスク）の残容量が無駄に消費されることを抑制できる。
【００６７】
ここで、上記ステップＳ１における騒音検知の判断基準例について説明する。
【００６８】
例えば、システムコントローラ１９は、予めシステムコントローラ１９に登録された騒音としての音声データと、集音マイク２０の出力に基づく音声データの特徴（周波数特性など）を比較し、特徴が同じであると判断すれば、騒音が発生したと判定する。
【００６９】
また例えば、システムコントローラ１９は、集音マイク２０の出力に基づき、集音された音の音量が閾値を超えた場合、または閾値を超える時間が所定時間継続した場合、騒音が発生したと判定する。
【００７０】
また例えば、システムコントローラ１９は、放送の映像音声を表示部１５及び内蔵スピーカ１８から出力中（即ち、放送の視聴中）、リモコン受光部２２からのリモコンコードに基づき、頻繁に内蔵スピーカ１８からの音声の音量を上げるリモコン操作がなされたと判断すると、騒音が発生したと判定する（例えば、短い時間間隔で音量アップのリモコンコードを数回受信した場合など）。この場合、騒音検知のために集音マイク２０は不要となる。
【００７１】
また例えば、システムコントローラ１９は、放送の視聴中、リモコン受光部２２からのリモコンコードに基づき、リモコン操作による音量アップによって普段の設定音量よりはるかに大きな音量（内蔵スピーカ１８からの音量）が設定された場合、騒音が発生したと判定する。この場合も、騒音検知のために集音マイク２０は不要となる。
【００７２】
また、特定の時刻に例えば宣伝カー、電車、飛行機などにより騒音が発生したり、夕食の時間などに騒音が発生したりすることを考慮し、システムコントローラ１９は、騒音が発生すると推定される特定の時刻になると騒音が発生したと判定してもよい。この場合も、騒音検知のために集音マイク２０は不要となる。
【００７３】
次に、上記ステップＳ２における録画するか否かの判断基準例について説明する。
【００７４】
例えば、システムコントローラ１９は、視聴予約していた番組を視聴中であると判断した場合、録画すると判定する。視聴予約は、ＥＰＧなどに基づき行われる。
【００７５】
また例えば、システムコントローラ１９は、リモコン受光部２２からのリモコンコードに基づき、視聴中の放送番組において途中のＣＭのときだけチャンネルをリモコン操作により替えられた、またはその放送番組の放送中にチャンネルを替えられていないと判断した場合、録画すると判定する。なお、ＣＭか否かの判別信号はデジタル放送信号に含まれている。
【００７６】
また例えば、システムコントローラ１９は、毎週または毎日視聴している番組を視聴中であると判断した場合、録画すると判定する。例えば、先週と同じ曜日の同じ放送開始時刻で同じチャンネルの場合は、毎週視聴している番組と判断する。
【００７７】
また例えば、システムコントローラ１９は、予めリモコン操作などによりお気に入りとして登録されているジャンルの番組を視聴中であると判断した場合、録音すると判定する。例えば、番組のジャンルコードはＥＩＴに含まれているので、登録されたジャンルとＥＩＴのジャンルコードを比較すればよい。
【００７８】
また例えば、システムコントローラ１９は、予めリモコン操作などによりワード登録されている単語が、視聴中の番組の番組情報に含まれていると判断した場合、録音すると判定する。番組情報は、ＥＩＴに含まれる。
【００７９】
また例えば、システムコントローラ１９は、視聴中の番組の半分以上の時間を視聴していると判断した場合、録音すると判定する。視聴中の番組の全体放送時間は、ＥＩＴから把握できる。
【００８０】
また例えば、システムコントローラ１９は、番組途中のＣＭを視聴中の場合、ＣＭ明けまでは録画させず、ＣＭ明けになったタイミングで録画すると判定し、番組終了後のＣＭを視聴中の場合、録画しないと判定する。
【００８１】
また例えば、システムコントローラ１９は、ニュースなど他の番組でも情報を得られる番組を視聴中であると判断した場合、録音しない。例えば、ニュースか否かはＥＩＴに含まれるジャンルコードで把握できる。
【００８２】
また例えば、システムコントローラ１９は、リモコン受光部２２からのリモコンコードに基づき、頻繁にチャンネルが替えられていると判断した場合、録画しないと判定する（例えば、現在から所定時間前までの期間におけるチャンネルの切替回数が所定値を超えている場合など）。
【００８３】
また例えば、システムコントローラ１９は、視聴中の放送番組に変わっても特定の時間以上、リモコン受光部２２からの入力がないと判断した場合（つまり、リモコン操作がない場合）、録画しないと判断する。このような場合としては、例えばテレビ装置１を視聴中にユーザがそのまま眠ってしまった場合などが推定される。
【００８４】
また例えば、システムコントローラ１９は、この後すぐに始まる予約録画が設定されている場合、ＨＤＤ２３を使用できないとして、録画はしないと判定する。例えばＥＰＧにおいて番組が選択されると録画予約が設定され、録画予約された番組の放送開始時刻になると放送の映像音声データがＨＤＭＩ通信によりＨＤＤレコーダ３へ転送され、ＨＤＤ３３に番組が録画される。
【００８５】
なお、本実施形態の変形例として、ＨＤＤレコーダ３が放送受信機能（チューナ等）を有し、上記ステップＳ２で録画すると判定した場合、テレビ装置１側で視聴中の番組のチャンネル情報を含んだ録画開始のＣＥＣコマンドをＨＤＭＩ通信によりＨＤＤレコーダ３側へ送信し、ＨＤＤレコーダ３側において送信されたチャンネルで選局を行い、ＨＤＤ３３へ放送番組を録画開始してもよい。
【００８６】
また、上記ステップＳ２において、ＯＳＤ部１６によって、図４に示すような視聴中の番組を録画するか否かをユーザに選択させる画面を表示部１５に表示してもよい。この画面において、録画するか否かがリモコン操作などにより選択される。
【００８７】
また、図３に示す処理では、騒音が検知されると番組終了まで録画が継続したが、次のように変形してもよい。ステップＳ５で番組が終了していない場合（ステップＳ５のＮ）、騒音が発生したか否かを判定し、騒音が発生していれば再度ステップＳ５に進み、騒音が発生していなければ、ステップＳ６に進むようにする。これにより、騒音が発生した後に騒音がなくなった場合、録画を停止させることができ、ＨＤＤ３３の残容量の消費を抑えることができる。
【００８８】
＜第２実施形態＞
次に、本発明の第２実施形態に係るテレビ装置のブロック図を図５に示す。図５に示すテレビ装置１’は、上記第１実施形態のようなＨＤＭＩによる外部装置（ＨＤＤレコーダ）との接続はせずに単体で実施可能である。テレビ装置１’は、ＨＤＤ２４を内蔵している。
【００８９】
テレビ装置１’における騒音検知による録画処理についてのフローチャートを図６に示す。図６のステップＳ１１で騒音が検知されると（ステップＳ１１のＹ）、ステップＳ１２に進み、録画するか否かが判定される。もし録画する場合は（ステップＳ１２のＹ）、ステップＳ１３に進み、システムコントローラ１９は、デコード部１３から取得される放送の映像音声データをＨＤＤ２４に録画開始させる。
【００９０】
そして、ステップＳ１４で番組の終了が検知されると（ステップＳ１４のＹ）、ステップＳ１５に進み、システムコントローラ１９は、ＨＤＤ２４に録画を停止させる。
【００９１】
このような本実施形態によれば、外部装置は不要としてテレビ装置１’単体で上記第１実施形態と同様の効果を奏することができる。
【００９２】
なお、本実施形態の図６に示す処理の変形例として、第１実施形態で述べた変形例と同様に、騒音を検知した後、騒音がなくなった場合に録画を停止させてもよい。
【００９３】
＜第３実施形態＞
第１実施形態では、騒音が検知されると、ＨＤＤ３３（図２）に番組の映像音声データが録画される。この際、ＨＤＤ３３には、番組名情報、及び番組の放送開始からの経過時間で表した録画開始タイミング情報及び録画終了タイミング情報も番組の映像音声データに対応させて記録される。なお、記録されたひとまとまりの映像音声データを録画タイトルという。
【００９４】
そして、リモコン装置（不図示）によって所定の操作がされると（例えば専用キーを押すなど）、システムコントローラ１９は、ＨＤＭＩ通信によりＨＤＤレコーダ３のシステムコントローラ３２に指令を行う。
【００９５】
指令を受けたシステムコントローラ３２は、騒音検知によってＨＤＤ３３に記録された録画タイトル、及び上記番組名情報、録画開始終了タイミング情報に基づき、サムネイル（例えば録画タイトルの先頭の映像を縮小した画像）と番組名及び録画開始終了タイミングを対応させて録画タイトルごとに一覧表示する画像データを生成し、生成された画像データをＨＤＭＩ通信によってシステムコントローラ１９へ送信する。そして、システムコントローラ１９は、送信された画像を映像出力部１４を介して表示部１５に表示させる。
【００９６】
このときに表示部１５に表示される画像の一例を図７に示す。図７に示すように、サムネイル７１と番組名及び録画開始終了タイミングが対応されて録画タイトルごとに一覧表示される。
【００９７】
このような一覧表示においてリモコン操作によって録画タイトルを選択可能となっており、選択された録画タイトルに対して決定操作されると、例えばポップアップが表示され、再生または削除を選択可能である。
【００９８】
ここで、再生を選択した場合は、選択された録画タイトルの映像音声データがＨＤＤ３３から読み出され、ＨＤＭＩ通信によってテレビ装置１側へ送信され、表示部１５及び内蔵スピーカ１８から映像音声が再生される。また、削除を選択した場合は、システムコントローラ１９からＨＤＭＩ通信によってシステムコントローラ３２へ指令が送られ、システムコントローラ３２はＨＤＤ３３に選択された録画タイトルを削除させる。
【００９９】
このように、ユーザは上記一覧表示により、騒音検知によって録画された録画タイトルを確認でき、録画タイトルの再生または削除を容易に行える。騒音検知によって録画された録画タイトルはユーザが意図せず自動的に録画されたものであるので、削除が容易であると利便性が高い。
【０１００】
なお、本実施形態の一覧表示については、上記第２実施形態（ＨＤＤをテレビ装置が備える場合）に適用してもよい。
【０１０１】
＜第４実施形態＞
上記のように、騒音検知によって録画された録画タイトルはユーザが意図せず自動的に録画されたものであるので、削除する際の利便性を向上させることが望まれ、ここではそれについての実施形態を説明する。録画タイトルの削除はＨＤＤの残量を増やす点でも有用である。
【０１０２】
例えば、図７のような一覧表示において録画タイトルが選択されて再生され、再生が終了すると、図８に一例を示すような録画タイトルを消去するか否かを選択するための画面をＯＳＤ表示によって表示してもよい。この画面でユーザがリモコン操作により消去を選択すれば、再生された録画タイトルは削除される。これにより、再生終了時にユーザは容易に録画タイトルを削除できる。
【０１０３】
また、再生が終了した際に、例えば図９に示すような、保存操作をしなければ再生した録画タイトルは所定時間経過すると自動的に消去される旨を通知する画面をＯＳＤ表示によって表示してもよい。この画面を見たユーザがリモコン装置などによって保存操作を行えば、録画タイトルは自動的に削除されないが、保存操作を行わない場合、所定時間経過後（例えば数日後など）にＨＤＤから録画タイトルが自動的に削除される。
【０１０４】
例えば、上記画面表示の際、録画タイトルに対応させて自動削除予定タイミングをＨＤＤに記録し、保存操作がされない場合は上記自動削除予定タイミングが維持され、そのタイミングが来ればＨＤＤが録画タイトルを削除する。保存操作がされた場合は、上記自動削除予定タイミングを削除すればよい。
【０１０５】
このように、保存操作がされなければ所定時間経過後に自動的に削除されるのでユーザの利便性が向上し、削除したくない場合は保存操作を行えばよい。
【０１０６】
また、上記のように所定時間経過後に自動的に録画タイトルが削除される実施形態の場合、リモコン操作などによる所定の操作（例えば専用キーを押すなど）により、例えば図１０に示すような、自動削除予定タイミングが古い順に録画タイトルを一覧表示した画面を表示してもよい。このような画面の画像データは、ＨＤＤに記録された録画タイトル及び自動削除予定タイミングに基づいて作成される。
【０１０７】
このような画面表示によって、ユーザは録画タイトルがどのような優先順で自動削除される予定であるかを確認できる。なお、本画面において、リモコン操作などにより自動削除の優先順を入れ替えることが可能にしてもよい。例えば、図１０の画面において、最も優先順の高い番組名「ＡＡＡＡ」の録画タイトルと、３番目に優先順の高い番組名「ＣＣＣＣ」の録画タイトルを入れ替えるなどである。これにより、ユーザの好みの優先順で録画タイトルを自動削除できる。
【０１０８】
＜第５実施形態＞
次に、本発明の第５実施形態について説明する。本実施形態では、例えば上記第１実施形態に係る構成のテレビシステム（図２）において、テレビ装置１で放送番組を視聴中にＨＤＤレコーダ３のＨＤＤ３３により視聴中の番組を録画しているとする。
【０１０９】
このとき、上記第１実施形態で説明した方法でシステムコントローラ１９が騒音を検知すると、システムコントローラ１９はＨＤＭＩ通信により指令をシステムコントローラ３２に送り、指令を受けたシステムコントローラ３２はＨＤＤ３３にチャプタマークを生成して記録させる。チャプタマークを境界に録画した映像音声が前後に区切られる。区切られた後の各々の映像音声がチャプタとなる。
【０１１０】
録画終了後、リモコン操作などにより所定の操作がされると、システムコントローラ３２は、ＨＤＭＩ通信によるシステムコントーラ１９からの指令により、ＨＤＤ３３に記録された録画タイトル、録画時間情報、番組名情報、及びチャプタマークに基づき、例えば図１１に示すようなチャプタ表示画面を表示する画像データを生成する。生成された画像データは、ＨＤＭＩ通信によりテレビ装置１側へ送信され、映像出力部１４の出力により表示部１５にチャプタ表示画面が表示される。
【０１１１】
図１１の例では、録画タイトルの番組名が上方に表示されると共に、チャプタマークで区切られた各チャプタを示すサムネイル（例えばチャプタの先頭映像の縮小画像）と、録画開始からの経過時間で表された各チャプタの開始終了タイミングがサムネイルに対応させて表示される。
【０１１２】
例えば図１１においては、録画開始から１２分３４秒経過したタイミングと２３分４５秒経過したタイミングで騒音が検知されて自動的にチャプタマークが生成されている。その他のチャプタマーク（録画開始から１０分、２０分、及び３０分経過したタイミング）は、ユーザのリモコン操作などにより生成されたものである（録画中にリアルタイムに生成しても、録画後の編集中に生成してもよい）。
【０１１３】
このようなチャプタ表示画面において、チャプタはリモコン操作などにより選択可能であり、選択されたチャプタにおいて決定操作がなされると、そのチャプタがＨＤＤ３３から再生される。騒音検知によって生成されたチャプタマークで区切られた後側のチャプタ（上記例であれば録画開始から１２分３５秒と、２３分４６秒経過したタイミングから開始されるチャプタ）が選択されて再生されれば、ユーザが騒音により聞き逃した音声を聞くことが可能となる。
【０１１４】
即ち、騒音が発生したときのシーンの頭出しが容易となり、利便性が高い。
【０１１５】
なお、本実施形態の変形例として、例えば図１２に示すように、チャプタ表示画面を表示するときは、騒音検知によって生成されたチャプタマークで区切られた後側のチャプタを強調するためのマーク１２１などを表示してもよい。これにより、騒音が発生したときのチャプタがどれであるかがユーザに分かり易くなる。なお、騒音検知によって生成されたチャプタマークで区切られた前後のチャプタを強調するためのマークなどを表示してもよい。
【０１１６】
また、本実施形態は、上記第２実施形態に係る構成のテレビ装置１’（図５）に適用してもよい。
【０１１７】
以上、本発明の実施形態について説明したが、本発明の趣旨の範囲内であれば、実施形態は種々変形が可能である。
【０１１８】
例えば、上記実施形態ではテレビ装置１、１’を例として説明したが、代わりにセットトップボックス、ＨＤＤレコーダ、光ディスクレコーダ等を用いることも可能である。
【符号の説明】
【０１１９】
１、１’  テレビ装置
２  アンテナ
３  ＨＤＤレコーダ（ハードディスクレコーダ）
１１  チューナ
１２  分離部
１３  デコード部
１３１  映像デコーダ
１３２  データデコーダ
１３３  音声デコーダ
１４  映像出力部
１５  表示部
１６  ＯＳＤ（オンスクリーンディスプレイ）部
１７  音声出力部
１８  内蔵スピーカ
１９  システムコントローラ
２０  集音マイク
２１  ＥＰＧ記憶部
２２  リモコン受光部
２３  ＨＤＭＩインタフェース
２４  ＨＤＤ（ハードディスクドライブ）
３１  ＨＤＭＩインタフェース
３２  システムコントローラ
３３  ＨＤＤ
【図１】
2015041828.tif 000003
【図２】
2015041828.tif 000004
【図３】
2015041828.tif 000005
【図４】
2015041828.tif 000006
【図５】
2015041828.tif 000007
【図６】
2015041828.tif 000008
【図７】
2015041828.tif 000009
【図８】
2015041828.tif 000010
【図９】
2015041828.tif 000011
【図１０】
2015041828.tif 000012
【図１１】
2015041828.tif 000013
【図１２】
2015041828.tif 000014